(57)【特許請求の範囲】
【請求項１】
架空送電線に螺旋状に巻付けた、Fe-Ni合金の低キューリー材からなる線径２〜３ｍｍ程度の融雪線の端末部に、低キューリー材のFe-Ni合金からなる線径２〜４ｍｍの金属線材を螺旋状にプレフォーム加工した端止ロッドを、１５０ｍｍ以下の巻付けピッチで巻き付けたことを特徴とする送電線用融雪線の固定構造。
【発明の詳細な説明】
【０００１】
【発明に属する技術分野】
この発明は、架空送電線に用いられる融雪線の端末部を端止ロッドで固定する場合の送電線用融雪線の固定構造に関するものであり、端末部の融雪性能を向上せしめるものである。
【０００２】
【従来の技術】
架空送電線用の融雪線は一般に、Fe-Ni合金の低キューリー材からなる線径２〜３ｍｍ程度の線材で構成されており、図３に示すように、この融雪線３を架空送電線（以下、電線と略す）２に巻付けることにより、電線２に付着する雪を融雪するものである。冬季の低温時には低キューリー材である融雪線３が強磁性を示し、電線２に流れる電流によって強磁性体の融雪線３に渦電流が発生し、この渦電流によるジュール熱により融雪線３が発熱し融雪する。
【０００３】
電線２に巻付けた融雪線３の端末部は、バラケ防止のため何らかの方法で固定する必要があるが、従来は、同じく図３に示すように、螺旋状にプレフォーム加工された線径６〜１０ｍｍ（線径をｄ１で示す）程度の金属線材である端止ロッド１を、電線２に巻き付けられた融雪線３の端末部に、２００ｍｍ以上、通常は３００ｍｍ程度の巻付けピッチ（Ｐ１）で螺旋状に巻き付けて、融雪線３の端末部を電線２に固定していた。
【０００４】
【発明が解決しようとする課題】
上記従来の端止ロッド１は、線径ｄ１が６〜１０ｍｍと大きく、端止ロッド巻付け部分の外径Ｄ１が大きくなって放熱し易くなり、端止ロッド１が放熱フィンの働きをするため、端止ロッド巻付け部分は他の部分に比べ融雪性能が低下するという問題がある。
また、端止ロッド１も電線２と同じ導体と考えられることから、電線２の端止ロッド巻付け部分では他の部分に比べ電気抵抗が小さくなり、このため電線２の抵抗によるジュール熱も小さくなり、発熱量がさらに小さくなる。
【０００５】
ところで、端止ロッドの材料として例えばアルミ合金が使用されているが、この場合、アルミ合金は強磁性体ではないから、電線２に流れる電流による渦電流は生じずそれ自身ほとんど発熱しないので、融雪性能の点で不利であることから、その欠点を改善する対策として端止ロッド１を低キューリー材であるFe-Ni合金で構成する方法も採用されている。これにより、端止ロッド自体が発熱可能となる点で、融雪性能が若干は改善される。
しかし、従来の端止ロッド１は線径ｄ１が６〜１０ｍｍと太く曲げ剛性が大きいので小さなピッチでは巻き付けにくい、という施工上の制約により、前述のように巻付けピッチを、例えば２００ｍｍ以上通常３００ｍｍ程度と大きくする必要があるが、巻付ピッチが大きいほど発熱効率が低下するので、融雪性能低下防止の対策として必ずしも十分な効果は得られていなかった。なお、巻付けピッチが大きくなるほど、端止ロッドがより電線に沿う配置（端止ロッドの線材の向きが電線と平行に近づく配置）となるが、渦電流は電線方向に対して直角に近い程効率よく発生し、電線と平行に近づく程効率が低くなるので、巻付けピッチが大きいと、渦電流による発熱効率が低下する。
【０００６】
本発明は上記事情に鑑みてなされたもので、融雪線の融雪性能を増大させることができる送電線用融雪線の固定構造を提供することを目的とする。
【０００７】
【課題を解決するための手段】
上記課題を解決する本発明の架空送電線用融雪線の固定構造は、架空送電線に螺旋状に巻付けた、Fe-Ni合金の低キューリー材からなる線径２〜３ｍｍ程度の融雪線の端末部に、低キューリー材であるFe-Ni合金からなる線径２〜４ｍｍの金属線材を螺旋状にプレフォーム加工した端止ロッドを、１５０ｍｍ以下の巻付けピッチで巻き付けたことを特徴とする。
【００１０】
【発明の実施の形態】
図１に本発明の一実施形態を示す。同図において、融雪線３はFe-Ni合金等の低キューリー材からなる線径２〜３ｍｍ程度の線材で構成され、電線２に螺旋状に巻付けられている。
【００１１】
電線２に巻付けた融雪線３の端末部のバラケ防止を図るために、融雪線３の端末部に、線材を螺旋状にプレフォーム加工した端止ロッド１１を螺旋状に巻き付けるが、本発明では、端止ロッド１１の線径ｄ２を従来の端止ロッド１のおよそ1/2である２〜４ｍｍとし、巻付ピッチＰ２を１５０ｍｍ以下とする。端止ロッドの材料は、低キューリー材のFe-Ni合金を用いる。低キューリー材のFe-Ni合金としては、例えば、ニッケル（Ni）５%、クロム（Cr）１０％、シリコン（Si）１％、鉄（Fe）残部からなる合金が挙げられる。
【００１２】
冬季の低温時には低キューリー材である融雪線３が強磁性を示し、電線２に流れる電流によって強磁性体の融雪線３に渦電流が発生し、この渦電流によるジュール熱により融雪線３が発熱し融雪する。
端止ロッド巻付け部分においても融雪線３が発熱するが、この端止ロッド巻付け部分では、端止ロッド１１の線径ｄ２が細いため、取付後も電線２の端止ロッド巻付け部分の外径があまり大きくならず、放熱フィンとして作用することが少ないので、従来と比較して放熱は少ない。
また、端止ロッド１１の線径ｄ２が細いから、端止ロッド巻付け部分（電線２、融雪線３、端止ロッド１１の全体）の電気抵抗の低下も少なく、ジュール熱による発熱量が低下することも、従来と比べて少ない。
【００１３】
上記の効果は端止ロッド１１の材料としてアルミ合金を用いた場合にも有効であるが、低キューリー材のFe-Ni合金を用いた場合は、冬季に強磁性体となった端止ロッド１１にも渦電流が流れ、ジュール熱により端止ロッド１１自体が発熱するので、アルミ合金の場合よりさらに融雪性能が向上する。
そして、線径ｄ２が小さいので、端止ロッド１１の巻付ピッチを小さくしても、巻き付ける作業が困難になるという施工上の制約もなく、このため、巻付けピッチを１５０ｍｍ以下と小さくすることが可能となっているが、端止ロッドにFe-Ni合金を用いた場合には、巻付けピッチＰ２を小さくしたことで、次のような効果が得られる。すなわち、巻付けピッチが小さくなるほど、端止ロッドの線材の向きが電線方向に直角な向きに近づくことになり、したがって、強磁性体の端止ロッドに生じる渦電流が増大し、発熱効率が向上する。
【００１４】
上記のFe-Niの端止ロッド１１の融雪性能を図３に示した従来の同じくFe-Niの端止ロッド１と比較するために行なった測定結果を図２（イ）、（ロ）に示す。図２（イ）は通電電流（アンペア（Ａ））を種々変化させた時の端止ロッド巻付け部分の発熱量（Ｗ／ｍ（ワット／メートル））を測定して得た通電電流−発熱量特性図、図２（ロ）は周囲温度が−１．８℃の環境で風速（ｍ／ｓ）を種々変化させた時の端止ロッド巻付け部分の温度（℃）を測定して得た風速−温度特性図である。本発明の上記実施形態の端止ロッド１１の場合を■印、従来の端止ロッド１の場合を▲印で示す。使用した電線はＡＣＳＲ（鋼心アルミ撚線）８１０ｍｍ２（外径３８．４ｍｍ）である。
【００１５】
図２（イ）に示す通り、本発明の端止ロッド１１を用いた場合の発熱量は従来の端止ロッド１を用いた場合より大きいが、通電電流が増す程、その差が大きくなり、１４０Ａ付近ではその差が１３Ｗ／ｍ程度に広がる。また、図２（ロ）に示す通り、本発明の端止ロッド１１を用いた場合の温度は、風速の大小によらず、従来の端止ロッド１を用いた場合より高いが、風速が小さい程、ややその差が大きく、無風状態では２℃程度の差となる。このように、本発明の端止ロッド１１を用いた時の温度上昇の効果が明確に現れている。
【００１６】
なお、実施形態では５本の端止ロッド１１を密着させる態様で巻き付けているが、１本ずつ離間させて巻き付けてもよいし、あるいは、５本の束間に隙間が生じない態様で巻き付けてもよい。また、本数も任意である。また、巻付けピッチの下限は、巻き付け作業に支障がない限り特に限定されない。
【００１８】
【発明の効果】
本発明の送電線用融雪線の固定構造によれば、端止ロッドの線径ｄ２を従来の端止ロッドのおよそ1/2である２〜４ｍｍと細くしているので、第１に、取付後も電線の端止ロッド巻付け部分の外径があまり大きくならず、放熱は従来と比較して少ない、第２に端止ロッド巻付け部分の電気抵抗の低下も少なく、発熱量の低下も少ないという効果が得られ、融雪性能が向上する。
【００１９】
また、線径ｄ２を細くしたことで、巻き付け作業が困難になるという施工上の制約をなくして、巻付けピッチを１５０ｍｍ以下と小さくしているので、端止ロッドの線材の向きが電線方向に直角な向きに近づくことになり、したがって低キューリー材であるFe-Ni合金の端止ロッドにおける渦電流発生の効率を高めることができ、発熱効率が向上し、融雪性能向上の効果が一層高くなる。
【図面の簡単な説明】
【図１】本発明の一実施形態を示すもので、架空送電線に巻き付けた融雪線の端末部を本発明の一実施形態の端止ロッドで固定した状態を示す図である。
【図２】本発明の端止ロッドと従来の端止ロッドの融雪性能を比較した測定結果を示すグラフであり、（イ）は通電電流−発熱量特性図、（ロ）は風速−温度特性図である。
【図３】従来例を示すもので、架空送電線に巻き付けた融雪線の端末部を従来の端止ロッドで固定した状態を示す図である。
【符号の説明】
２  電線（架空送電線）
３  融雪線
１１  端止ロッド
ｄ１  従来の端止ロッドの線径
ｄ２  本発明の端止ロッドの線径
Ｄ１  従来の端止ロッド巻付け部分の外径
Ｄ２  本発明の端止ロッド巻付け部分の外径
Ｐ１  従来の端止ロッドの巻付けピッチ
Ｐ２  本発明の端止ロッドの巻付けピッチ
【図１】
0003992270.tif 000002
【図２】
0003992270.tif 000003
【図３】
0003992270.tif 000004